(57)【特許請求の範囲】
【請求項１】
軸線を縦方向にしてカプセルを収容するカプセル収容室を備えたカプセルホルダと、カプセル収容室を挟んで該カプセルホルダの一側に設けられ、カプセル収容室に向け空気を供給するポンプと、前記カプセル収容室を挟んで該ポンプと反対側に設けられ、前記カプセル内の薬粉を噴霧ノズルから鼻腔内に噴霧する薬粉噴霧部とからなる鼻腔用投薬器において、
前記カプセルに空気を流入させる流入穴を前記カプセルの径方向から穴あけする流入側穴あけ具と、前記流入穴から前記カプセルに流入した空気を薬粉と一緒に薬粉噴霧部側に流出させる流出穴を前記カプセルの軸方向から穴あけする流出側穴あけ具とを設け、
前記カプセルホルダのカプセル収容室には、カプセルの底側周壁を支持するリブを複数個設け、該各リブ間には前記流入穴に空気を流通させるための空気流路を設けたことを特徴とする鼻腔用投薬器。
【請求項２】
前記カプセルホルダのカプセル収容室内には、前記カプセルの外周側に位置して前記流入穴に連通する空気溜め室を設けてなる請求項１に記載の鼻腔用投薬器。
【請求項３】
前記流入側穴あけ具は、カプセル収容室に収容されたカプセルの底側周壁に径方向の流入穴をあけるべく前記カプセルホルダに設け、前記流出側穴あけ具は、カプセル収容室に収容されたカプセルの頂部側に軸方向の流出穴をあけるべく前記薬粉噴霧部に設けてなる請求項１または２に記載の鼻腔用投薬器。
【請求項４】
前記流入側穴あけ具は、前記カプセルの軸線を挟んで左，右両側位置に設けてなる請求項１，２または３に記載の鼻腔用投薬器。
【請求項５】
前記流入側穴あけ具は、前記カプセルの軸線を外して偏心した左，右両側位置に設けてなる請求項１，２または３に記載の鼻腔用投薬器。
【発明の詳細な説明】
【０００１】
【発明の属する技術分野】
本発明は、カプセル内に充填した薬粉を患者の鼻腔内に投与するのに用いて好適な鼻腔用投薬器に関する。
【０００２】
【従来の技術】
一般に、鼻アレルギー、喘息等の患者には薬粉（粉体状の薬品）を鼻腔内に投与して治療する方法が採用されている。また、この治療法では専用の投薬器を用いて、カプセル内に充填した薬粉を鼻腔内へ投与するようになっている。
【０００３】
さらに、この治療法に用いられる鼻腔用投薬器としては、例えば特開平８−２４３１６３号公報（以下、従来技術という）に示すものが知られている。
【０００４】
この従来技術における鼻腔用投薬器は、軸線を縦方向にしてカプセルを収容するカプセル収容室を備えたカプセルホルダと、カプセル収容室を挟んで該カプセルホルダの一側に設けられ、カプセル収容室に向け空気を供給するポンプと、前記カプセル収容室を挟んで該ポンプと反対側に設けられ、前記カプセル内の薬粉を噴霧ノズルから鼻腔内に噴霧する薬粉噴霧部とから大略構成されている。
【０００５】
このように構成された従来技術による鼻腔用投薬器を使用する場合には、まず投薬の準備動作として、カプセルホルダのカプセル収容室内にカプセルを挿入し、この状態で、穴あけ具を用いてカプセルの底側に流入穴をあけ、カプセルの頂部側に流出穴をあける。これにより、カプセルには、その軸線上に流入穴と流出穴とが形成される。
【０００６】
次に、薬粉を投与する場合には、薬粉噴霧部の噴霧ノズルを患者の鼻腔内に挿入し、この状態でポンプを押圧して該ポンプからカプセル収容室内のカプセルに向け空気を供給する。そして、ポンプから供給される空気を流入穴を通してカプセル内に流入させ、該カプセル内の薬粉と一緒に流出穴を通して薬粉噴霧部の噴霧ノズル内に流出させ、該噴霧ノズルから患者の鼻腔内に薬粉を噴霧し、患者への投薬を行う。
【０００７】
【発明が解決しようとする課題】
ところで、上述した従来技術による投薬器では、流入穴と流出穴をカプセルの軸線上に位置して形成しているから、ポンプを押圧したときには、該ポンプからの空気が流入穴からカプセル内に勢いよく流入し、該カプセル内を流出穴に向けて直線的に流通することとなる。この場合、カプセルに充填された薬粉が凝集し易い粉体である場合には、ポンプから供給される空気の勢いが大きいために薬粉がカプセル内で再凝集することがある。これにより、薬粉が再凝集によってカプセル内に残ったり、凝集によって微粒化されなかった薬粉が投与途中で落下することがあり、投薬効率が低下するという問題がある。
【０００８】
そこで、ポンプから供給される空気の勢いを小さくして薬粉の再凝集を防止することが考えられるが、この場合には、カプセル内の薬粉を噴霧ノズルから噴出するのに空気の勢いが足りなくなり、結果として投薬効率が低下するという問題がある。
【０００９】
また、ポンプから供給される空気は、該ポンプを押圧したときの始めと終りで勢いに差を生じるため、凝集し易い薬粉を安定して噴霧することができないという問題がある。
【００１０】
本発明は上述した従来技術の問題に鑑みなされたもので、本発明の目的は、種類の異なる薬粉を投与する場合でも、投薬効率を高めた状態で薬粉を安定して患者に投与することができるようにした鼻腔用投薬器を提供することにある。
【００１１】
【課題を解決するための手段】
本発明による鼻腔用投薬器は、軸線を縦方向にしてカプセルを収容するカプセル収容室を備えたカプセルホルダと、カプセル収容室を挟んで該カプセルホルダの一側に設けられ、カプセル収容室に向け空気を供給するポンプと、前記カプセル収容室を挟んで該ポンプと反対側に設けられ、前記カプセル内の薬粉を噴霧ノズルから鼻腔内に噴霧する薬粉噴霧部とから構成されている。
【００１２】
そして、上述した課題を解決するために、請求項１の発明が採用する構成の特徴は、前記カプセルに空気を流入させる流入穴を前記カプセルの径方向から穴あけする流入側穴あけ具と、前記流入穴から前記カプセルに流入した空気を薬粉と一緒に薬粉噴霧部側に流出させる流出穴を前記カプセルの軸方向から穴あけする流出側穴あけ具とを設け、前記カプセルホルダのカプセル収容室には、カプセルの底側周壁を支持するリブを複数個設け、該各リブ間には前記流入穴に空気を流通させるための空気流路を設けたことにある。
【００１３】
このように構成したことにより、流入側穴あけ具によってカプセルに径方向の流入穴をあけ、流出側穴あけ具によってカプセルに軸方向の流出穴をあける。このように、カプセルの径方向に流入穴を設けた場合でも、該流入穴に連通するための通路をカプセルホルダに形成することなく、各リブ間の空気流路を通して前記流入穴からカプセル内に空気を流入させることができる。これにより、径方向の流入穴からカプセル内に流入した空気は、流出穴に向けて流通することなく、カプセルの内壁に衝突して乱流となるから、この乱流によってカプセル内の薬粉を拡散することができ、例えば、薬粉が凝集し易い粉体の場合でも、カプセル内での薬粉の再凝集を防止できる。
【００１４】
請求項２の発明は、カプセルホルダのカプセル収容室内には、カプセルの外周側に位置して前記流入穴に連通する空気溜め室を設けたことにある。これにより、ポンプから供給される空気は一旦空気溜め室に流入し、該空気溜め室でポンプ操作時に生じる空気流の勢いのばらつきが吸収されるから、流入穴からカプセル内に空気を安定した状態で流入させることができる。
【００１７】
請求項３の発明は、流入側穴あけ具は、カプセル収容室に収容されたカプセルの底側周壁に径方向の流入穴をあけるべくカプセルホルダに設け、前記流出側穴あけ具は、カプセル収容室に収容されたカプセルの頂部側に軸方向の流出穴をあけるべく薬粉噴霧部に設けたことにある。
【００１８】
このように構成したことにより、カプセルホルダに設けられた流入側穴あけ具によってカプセル収容室に収容されたカプセルの底側周壁に径方向の流入穴をあけることができ、また、薬粉噴霧部に設けられた流出側穴あけ具によってカプセル収容室に収容されたカプセルの頂部側に軸方向の流出穴をあけることができる。
【００１９】
請求項４の発明は、流入側穴あけ具をカプセルの軸線を挟んで左，右両側位置に設けたことにある。これにより、左，右の流入側穴あけ具によってカプセルに左，右の流入穴をあけることができ、この左，右の流入穴を通ってカプセル内に流入した空気は互いに衝突して乱流となり、該カプセル内の薬粉を拡散する。
【００２０】
請求項５の発明は、流入側穴あけ具をカプセルの軸線を外して偏心した左，右両側位置に設けたことにある。これにより、左，右の流入側穴あけ具によってカプセルに偏心した左，右の流入穴をあけることができ、この左，右の流入穴を通ってカプセル内に流入した空気はカプセルの内壁に沿って旋回流となり、該カプセル内の薬粉を拡散する。
【００２１】
【発明の実施の形態】
以下、本発明の実施の形態による鼻腔用投薬器を図１ないし図１３に従って詳細に説明する。
【００２２】
まず、図１ないし図６は本発明の第１の実施の形態を示すに、１は鼻腔用投薬器の本体をなし後述のカプセルＫを保持するカプセルホルダで、該カプセルホルダ１は、後述のポンプ１４内に挿嵌された通路部材２と、該通路部材２の上側に設けられたホルダ筒７と、該ホルダ筒７の外周側から径方向外向きに突設された穴あけ具ガイド１２とから大略構成されている。
【００２３】
２はホルダ筒７の下側に形成された通路部材で、該通路部材２は、図３に示す如く、段付筒状に形成された外筒部２Ａと、該外筒部２Ａ内に設けられた内筒部２Ｂと、前記外筒部２Ａの下端側を閉塞する底部２Ｃと、前記外筒部２Ａの開口側に位置して形成されたフランジ部２Ｄとから大略構成され、前記内筒部２Ｂ内はカプセルＫから落下する薬粉を捕捉する薬粉受室３となっている。
【００２４】
また、前記外筒部２Ａと内筒部２Ｂとは、該外筒部２Ａの軸方向中間で内筒部２Ｂの開口部が連結され、該筒部２Ａ，２Ｂ間には空気流入室４が形成されている。さらに、底部２Ｃには、空気流入室４と連通する空気供給通路５が形成され、内筒部２Ｂには薬粉受室３と空気流入室４とを連通する複数の連通孔６，６，…が例えば径方向に４個穿設されている。
【００２５】
７は通路部材２の上側に一体的に設けられたホルダ筒で、該ホルダ筒７は円筒状をなし、その外周面上側寄りには全周に亘って雄ねじ７Ａが刻設されている。また、ホルダ筒７の内周側は一側カプセル穴８となり、該一側カプセル穴８は後述の他側カプセル穴１８と一体化することによりカプセル収容室９を構成している。そして、カプセル収容室９には、図３に示す如く、軸線Ｏ１  −Ｏ１  が縦方向となるようにカプセルＫ（二点鎖線で図示）が収容される。
【００２６】
ここで、前記一側カプセル穴８には、図４に示す如く、その底部側に位置して４本のリブ１０，１０，…が十字状に突設され、該各リブ１０はカプセルＫの底側周壁を支持するもので、該カプセルＫの底側周壁に沿うような円弧状をなしている。また、各リブ１０間は、ポンプ１４から供給される空気が流通する空気流路１１，１１，…となり、該各空気流路１１は、カプセル収容室９内にカプセルＫを収容したときに、通路部材２の薬粉受室３とカプセルＫに形成される流入穴Ｈ１  とを連通させるものである。
【００２７】
１２はホルダ筒７の外周側に設けられた穴あけ具ガイドで、該穴あけ具ガイド１２は、ホルダ筒７の外周面から径方向外向きに突出する角柱状に形成され、その内部には、後述する流入側穴あけ具１６の摺動体１６Ｂが摺動するガイド溝１２Ａが形成されている。
【００２８】
１３は通路部材２内に設けられた供給弁で、該供給弁１３は空気供給通路５を開，閉するもので、ポンプ１４から空気が供給されたときに開弁し、ポンプ１４内に空気を吸込むときには着座して空気供給通路５を閉塞するものである。
【００２９】
１４はゴム材料により有底円筒状に形成されたポンプで、該ポンプ１４は、開口部１４Ａ、底部１４Ｂ及び該開口部１４Ａ、底部１４Ｂ間の押圧部１４Ｃとから大略構成され、前記開口部１４Ａは通路部材２の外筒部２Ａに気密に嵌着されている。
【００３０】
１５はポンプ１４の底部１４Ｂに設けられた吸込弁で、該吸込弁１５は、中央部の吸込通路１５Ａと、該吸込通路１５Ａを開，閉する弁体１５Ｂとを備え、該弁体１５Ｂは、ポンプ１４から空気が供給されたときに閉弁し、外部からポンプ１４内に空気を吸込むときに開弁する。
【００３１】
１６はカプセルホルダ１の穴あけ具ガイド１２に設けられた流入側穴あけ具で、該流入側穴あけ具１６は、一側カプセル穴８の下側寄りに位置してカプセルＫの軸線Ｏ１  −Ｏ１  に直交する径方向に伸長して配設され、先端が鋭利になったピン１６Ａと、該ピン１６Ａの基端側に固着された摺動体１６Ｂと、前記ピン１６Ａの先端側に設けられたシールゴム１６Ｃとから大略構成されている。また、前記摺動体１６Ｂには、図２、図４に示す如く、穴あけ具ガイド１２の外側面に露出して操作片１６Ｄ，１６Ｄが一体的に固着されている。そして、流入側穴あけ具１６は、各操作片１６Ｄを把持して矢示Ａ方向に移動させることにより、ピン１６Ａの先端をカプセルＫの径方向から突刺し、該カプセルＫの底側周壁に径方向の流入穴Ｈ１  （図５、図６参照）をあけるものである。
【００３２】
１７はカプセルホルダ１のホルダ筒７に設けられた薬粉噴霧部で、該薬粉噴霧部１７の下側には取付筒部１７Ａが一体的に形成され、該取付筒部１７Ａの内周面には、ホルダ筒７の雄ねじ７Ａに螺合する雌ねじ１７Ｂが刻設されている。また、薬粉噴霧部１７の中央には、後述する流出側穴あけ具２１の摺動体２１Ｂが摺動するガイド溝１７Ｃが形成されている。さらに、薬粉噴霧部１７には、取付筒部１７Ａの奥所に位置して一側カプセル穴８と共にカプセル収容室９を構成する他側カプセル穴１８が形成されている。
【００３３】
１９，１９は薬粉噴霧部１７に設けられた左，右の薬粉通路（図１参照）で、該左，右の薬粉通路１９，１９は、カプセル収容室９から二又に分岐し、左，右の噴霧ノズル２０，２０に向けて伸長している。
【００３４】
２０，２０は薬粉噴霧部１７の上側に設けられた左，右の噴霧ノズルで、該左，右の噴霧ノズル２０，２０内は、左，右の薬粉通路１９，１９に連通して薬粉を患者の左，右の鼻腔（図示せず）内に噴霧する噴霧口２０Ａ，２０Ａとなっている。
【００３５】
２１は薬粉噴霧部１７に設けられた流出側穴あけ具で、該流出側穴あけ具２１は、カプセルＫの軸線Ｏ１  −Ｏ１  に沿って伸長し、先端が鋭利になったピン２１Ａと、該ピン２１Ａの基端側に固着された摺動体２１Ｂと、前記ピン２１Ａの先端側に設けられたシールゴム２１Ｃとから大略構成されている。また、前記摺動体２１Ｂには、薬粉噴霧部１７の外側面に位置して操作片２１Ｄ，２１Ｄが一体的に固着されている。そして、流出側穴あけ具２１は、各操作片２１Ｄを把持して矢示Ｂ方向に移動させることにより、ピン２１Ａの先端をカプセルＫに軸方向から突刺し、該カプセルＫの頂部に軸方向の流出穴Ｈ２  （図５、図６参照）をあけるものである。
【００３６】
本実施の形態による鼻腔用投薬器は上述した如く構成されるもので、次に、その使用動作について説明する。
【００３７】
最初に、カプセルＫに流入穴Ｈ１  、流出穴Ｈ２  を形成するまでの準備動作について説明するに、まず、ホルダ筒７の一側カプセル穴８内に縦方向にした状態でカプセルＫを挿着した後、該ホルダ筒７の雄ねじ７Ａに薬粉噴霧部１７の雌ねじ１７Ｂを螺着し、カプセルホルダ１に薬粉噴霧部１７を取付ける。このときに、一側カプセル穴８内のカプセルＫは薬粉噴霧部１７側の他側カプセル穴１８との間で軸方向に押圧された状態でカプセル収容室９内に保持される。
【００３８】
次に、流入側穴あけ具１６の操作片１６Ｄを把持して矢示Ａ方向に移動し、ピン１６Ａの先端をカプセルＫの底側周壁に径方向から突刺した後、操作片１６Ｄを戻してカプセルＫからピン１６Ａを引き抜く。これにより、カプセルＫに径方向に開口する流入穴Ｈ１  をあける。
【００３９】
また、流出側穴あけ具２１の操作片２１Ｄを把持して矢示Ｂ方向に移動し、ピン２１Ａの先端をカプセルＫの頂部に軸方向から突刺した後、操作片２１Ｄを戻してカプセルＫからピン２１Ａを引き抜く。これにより、カプセルＫの頂部に軸方向に開口する流出穴Ｈ２  をあける。
【００４０】
この結果、カプセルＫには、下側の底側周壁に位置して径方向の流入穴Ｈ１  が形成され、上側の頂部に位置して軸方向の流出穴Ｈ２  が形成される。そして、流入穴Ｈ１  は各リブ１０間の各空気流路１１に連通し、流出穴Ｈ２  は各薬粉通路１９に連通している。
【００４１】
次に、流入穴Ｈ１  、流出穴Ｈ２  が形成されたカプセルＫ内の薬粉を患者の鼻腔に噴霧するための投薬動作について説明する。
【００４２】
まず、左，右の噴霧ノズル２０，２０を患者の左，右の鼻腔内に挿入し、この状態で、図５に示すようにポンプ１４の押圧部１４Ｃを押圧すことにより、該ポンプ１４から吐出される圧送空気流を空気供給通路５、空気流入室４、各連通孔６を介して薬粉受室３に供給し、図６に示すように該薬粉受室３から各空気流路１１、流入穴Ｈ１  を通してカプセルＫ内に流入させる。
【００４３】
そして、流入穴Ｈ１  を通ってカプセルＫ内に流入した空気流は、当該カプセルＫの内壁等に衝突して乱流となり、カプセルＫ内の薬粉を拡散する。従って、例えばカプセルＫ内に充填された薬粉が凝集し易い粉体の場合でも、この種の薬粉を乱流となった空気流によって拡散して微粒化することができる。
【００４４】
このように、カプセルＫ内で微粒化された薬粉は、流入穴Ｈ１  から流入した空気に混入した状態で流出穴Ｈ２  を通って左，右の薬粉通路１９内に流出し、左，右の噴霧ノズル２０から患者の鼻腔に噴霧される。
【００４５】
かくして、本実施の形態によれば、カプセルホルダ１にはカプセルＫの底側周壁に径方向の流入穴Ｈ１  をあける流入側穴あけ具１６を設け、薬粉噴霧部１７にはカプセルＫの頂部に軸方向の流出穴Ｈ２  をあける流出側穴あけ具２１を設けているから、径方向の流入穴Ｈ１  からカプセルＫ内に流入した空気流を、該カプセルＫ内で乱流とし、カプセルＫ内の薬粉を拡散することができる。この結果、例えば、カプセルＫ内に充填される薬粉が凝集し易い粉体の場合でも、薬粉を微粒化して再凝集を防止することができるから、カプセルＫ内の薬粉を患者の鼻腔に効率よく投与することができ、投薬効率を高めることができる。
【００４６】
また、ポンプ１４から供給される空気の勢いを弱める必要がないから、通常の薬粉を投与する場合においても、薬粉をカプセルＫから左，右の薬粉通路１９、噴霧ノズル２０を通して患者の鼻腔内に効率よく投与することができ、多種類の薬粉（粒径、質量、凝集性等の異なる薬粉）の投与を可能にして、鼻腔用投薬器の適用範囲を広め、信頼性を高めることができる。
【００４７】
また、一側カプセル穴８内にカプセルＫの底側周壁を支持する複数のリブ１０を設け、該各リブ１０間に流入穴Ｈ１  に空気を流通させる各空気流路１１を設けているから、カプセルＫの径方向に流入穴Ｈ１  をあけた場合でも、カプセルホルダ１に必要となる流入穴Ｈ１  に連通する通路を省略でき、カプセルホルダ１の構成を簡略化して、組立性、製造コストを低減することができる。
【００４８】
次に、図７ないし図９に本発明の第２の実施の形態を示すに、本実施の形態の特徴は、カプセルホルダのカプセル収容室内にカプセルの外周側に位置して空気溜め室を設けたことにある。なお、本実施の形態では、前述した第１の実施の形態と同一の構成要素に同一の符号を付し、その説明を省略するものとする。
【００４９】
３１は本実施の形態によるカプセルホルダ、３２は該カプセルホルダ３１のホルダ筒で、該ホルダ筒３２は、前記第１の実施の形態によるホルダ筒７とほぼ同様に、外周面上側寄りに雄ねじ３２Ａが刻設された円筒状をなしている。しかし、本実施の形態によるホルダ筒３２は、後述する一側カプセル穴３３の内径寸法ｄが大きく設定されている点で第１の実施の形態によるホルダ筒７と相違している。
【００５０】
３３はホルダ筒３２の内周側に形成された本実施の形態による一側カプセル穴で、該一側カプセル穴３３は、後述の他側カプセル穴３９と一体化することによりカプセル収容室３４を構成している。また、本実施の形態による一側カプセル穴３３は、図９に示す如く、その内径寸法ｄがカプセルＫの外形寸法Ｄよりも大きく設定されている。
【００５１】
ここで、一側カプセル穴３３を大径に形成することにより、該一側カプセル穴３３とカプセルＫとの間には環状空間となる空気溜め室３５が形成されている。そして、空気溜め室３５は、ポンプ１４から供給される空気流を一旦流入させ、該空気溜め室３５内の空気を流入穴Ｈ１  からカプセルＫ内に流入させることにより、該空気溜め室３５によってポンプ操作時に生じる空気流の勢いのばらつきを吸収し、流入穴Ｈ１  からカプセルＫ内に空気を安定した状態で流入させるものである。
【００５２】
また、３６，３６，…は一側カプセル穴３３の底部側に設けられた４本のリブで、該各リブ３６は図８に示すように十字状に突設され、カプセルＫの底側周壁に沿うような円弧状をなしている。また、各リブ３６間は、ポンプ１４から供給される空気が流通する空気流路３７，３７，…となり、該各空気流路３７は、カプセル収容室３４内にカプセルＫを収容したときに、通路部材２の薬粉受室３と空気溜め室３５とを連通させるものである。
【００５３】
一方、３８は本実施の形態による薬粉噴霧部で、該薬粉噴霧部３８は、他側カプセル穴３９が一側カプセル穴３３に対応して大径に形成されている点で第１の実施の形態による薬粉噴霧部１７と相違している。
【００５４】
かくして、このように構成された本実施の形態においても、前記第１の実施の形態とほぼ同様の作用効果を得ることができるが、特に、本実施の形態では、カプセル収容室３４内にカプセルＫの外周側に位置して流入穴Ｈ１  に連通する空気溜め室３５を形成しているから、図９に示すようにポンプ１４から供給される空気流を一旦空気溜め室３５に流入させることにより、ポンプ操作時の空気流の勢いのばらつきを吸収することができ、流入穴Ｈ１  からカプセルＫ内に空気を安定した状態で流入させることができる。これにより、ポンプ１４の押圧始めに供給される勢いのある空気流によってカプセルＫ内の薬粉が凝集するのを防止でき、カプセルＫ内の薬粉を微粒化し、投薬効率を向上することができる。
【００５５】
次に、図１０及び図１１に本発明の第３の実施の形態を示すに、本実施の形態の特徴は、流入側穴あけ具をカプセルの軸線を挟んで左，右両側位置に設けたことにある。なお、本実施の形態では、前述した第１の実施の形態と同一の構成要素に同一の符号を付し、その説明を省略するものとする。
【００５６】
４１は本実施の形態によるカプセルホルダで、該カプセルホルダ４１は、外筒部４２Ａ、内筒部４２Ｂ、底部４２Ｃ、フランジ部４２Ｄからなる通路部材４２と、雄ねじ４３Ａを有するホルダ筒４３と、カプセルＫ（カプセル収容室９）の軸線Ｏ１  −Ｏ１  を挟んで左，右両側位置に設けられ、ガイド溝４４Ａが形成された左，右の穴あけ具ガイド４４，４４とによって構成されている。
【００５７】
また、４５，４５は左，右の穴あけ具ガイド４４，４４に設けられた流入側穴あけ具で、該左，右の流入側穴あけ具４５は、前記第１の実施の形態による流入側穴あけ具１６と同様に、ピン４５Ａ、摺動体４５Ｂ、シールゴム４５Ｃ、操作片４５Ｄ，４５Ｄから構成されている。そして、左，右の流入側穴あけ具４５，４５は、図１１に示すように、そのピン４５Ａ，４５ＡがカプセルＫの軸線Ｏ１  −Ｏ１  と直交する軸線Ｏ２  −Ｏ２  上に配置されている。
【００５８】
従って、左，右の流入側穴あけ具４５，４５のピン４５Ａ，４５ＡをカプセルＫに突刺した場合には、該カプセルＫの軸線Ｏ１  −Ｏ１  を挟んで左，右両側位置に径方向の流入穴があけられる。
【００５９】
かくして、このように構成された本実施の形態においても、前記第１の実施の形態とほぼ同様の作用効果を得ることができるが、特に、本実施の形態では、左，右の流入側穴あけ具４５，４５のピン４５Ａ，４５Ａを径方向に伸びる軸線Ｏ２  −Ｏ２  上に位置して設けているから、該各ピン４５ＡによってカプセルＫに左，右の流入穴をあけることができる。
【００６０】
これにより、ポンプ１４から供給される空気を左，右の流入穴を通してカプセルＫ内に流入させたときには、この空気をカプセルＫ内で衝突させて積極的に乱流を発生させることができ、薬粉の拡散性を高めて投薬効率を向上することができる。
【００６１】
次に、図１２及び図１３に本発明の第４の実施の形態を示すに、本実施の形態の特徴は、流入側穴あけ具をカプセルの軸線を外して偏心した左，右両側位置に設けたことにある。なお、本実施の形態では、前述した第１の実施の形態と同一の構成要素に同一の符号を付し、その説明を省略するものとする。
【００６２】
５１は本実施の形態によるカプセルホルダで、該カプセルホルダ５１は、通路部材５２と、ホルダ筒５３と、カプセルＫ（カプセル収容室９）の軸線Ｏ１  −Ｏ１  （図面では点Ｏ１  として示す）を挟んで左，右両側に設けられ、ガイド溝５４Ａが形成された左，右の穴あけ具ガイド５４，５４とによって構成されている。また、左，右の穴あけ具ガイド５４，５４は、カプセルＫの軸線Ｏ１  −Ｏ１  を外して互いに反対側に離間して偏心した位置に配置されている。
【００６３】
また、５５，５５は左，右の穴あけ具ガイド５４，５４に設けられた流入側穴あけ具で、該左，右の流入側穴あけ具５５は、前記第１の実施の形態による流入側穴あけ具１６と同様に、ピン５５Ａ、摺動体５５Ｂ、シールゴム５５Ｃ、操作片５５Ｄ，５５Ｄから構成されている。そして、左，右の流入側穴あけ具５５，５５のピン５５Ａ，５５Ａは、カプセルＫの軸線Ｏ１  −Ｏ１  を外して互いに反対側に偏心した軸線Ｏ３  −Ｏ３  ，Ｏ３  −Ｏ３  上に配置されている。
【００６４】
従って、左，右の流入側穴あけ具５５，５５のピン５５Ａ，５５ＡをカプセルＫに径方向から突刺した場合には、図１３に示すように、該カプセルＫの左，右両側位置に軸線Ｏ１  −Ｏ１  から外れて偏心し、該カプセルＫの接線方向に開口する左，右の流入穴Ｈ３  ，Ｈ３  があけられる。
【００６５】
かくして、このように構成された本実施の形態においても、前記第１の実施の形態とほぼ同様の作用効果を得ることができるが、特に、本実施の形態では、カプセルＫの軸線Ｏ１  −Ｏ１  を外して偏心した軸線Ｏ３  −Ｏ３  ，Ｏ３  −Ｏ３  上に位置して左，右の流入穴Ｈ３  ，Ｈ３  をあけることができるから、ポンプ１４から供給される空気を左，右の流入穴Ｈ３  ，Ｈ３  を通してカプセルＫ内に流入させたときには、図１３に示すようにカプセルＫ内で旋回流を発生させることができ、薬粉の拡散性を高めて投薬効率を向上することができる。
【００６６】
なお、第２の実施の形態では、カプセル収容室３４とカプセルＫとの間に空気溜め室３５を形成する構成としたが、第３の実施の形態、第４の実施の形態の構成に空気溜め室３５を適用してもよい。
【００６７】
また、第１の実施の形態では、流入側穴あけ具１６によってカプセルＫに流入穴Ｈ１  をあけた後に、流出側穴あけ具２１によってカプセルＫに流出穴Ｈ２  をあけるものとして述べたが、流出側穴あけ具２１によって流出穴Ｈ２  をあけた後に、流入側穴あけ具１６によって流入穴Ｈ１  をあける構成としてもよく、他の実施の形態でも同様である。
【００６８】
また、各実施の形態では、カプセルホルダ１，３１，４１，５１を一体的に設けられた通路部材２，４２，５２、ホルダ筒７，３１，４３，５３、穴あけ具ガイド１２，４４，５５によって構成した場合を例に挙げて説明したが、これに替えて、通路部材、ホルダ筒、穴あけ具ガイドをそれぞれ別部材として設け、接着、溶着、嵌着等の固着手段を用いて固着する構成としてもよい。また、薬粉噴霧部１７，３８についても、複数部材から構成してもよい。
【００６９】
さらに、各実施の形態では、薬粉通路１９を二又に分岐し、噴霧ノズル２０を左，右に設けることにより、患者の左，右の鼻腔に同時に投薬できるようにしたが、本発明はこれに限らず、薬粉通路を１本とし、該薬粉通路の先端側に１本の噴霧ノズルを設け、当該噴霧ノズルを左，右の鼻腔に交互に挿入して投薬するようにしてもよい。
【００７０】
【発明の効果】
以上詳述した如く、請求項１の発明によれば、カプセルに径方向から流入穴をあける流入側穴あけ具と、カプセルに軸方向から流出穴をあける流出側穴あけ具とを設け、カプセルホルダのカプセル収容室にカプセルの底側周壁を支持するリブを複数個設け、該各リブ間に流入穴に空気を流通させるための空気流路を設けている。従って、流入側穴あけ具によってカプセルに径方向の流入穴をあけることができ、流出側穴あけ具によってカプセルに軸方向の流出穴をあけることができる。これにより、各リブ間に設けられた空気流路を流通して径方向の流入穴からカプセル内に流入する空気を、流出穴に向けて流通させることなく、カプセルの内壁に衝突させて乱流とすることができるから、この乱流によってカプセル内の薬粉を拡散することができる。
この結果、薬粉が凝集し易い粉体の場合でも、カプセル内での薬粉の再凝集を防止して薬粉を微粒化することができるから、カプセル内の薬粉を患者の鼻腔に効率よく投与でき、投薬効率を高めることができる。
【００７１】
しかも、ポンプから供給される空気の勢いはそのままであるから、通常の薬粉を投与する場合においても、薬粉をカプセルから左，右の噴霧ノズルを通して患者の鼻腔内に効率よく投与することができ、多種類の薬粉（粒径、質量、凝集性等の異なる薬粉）の投与を可能にして、鼻腔用投薬器の適用範囲を広め、信頼性を高めることができる。
また、カプセルの径方向に流入穴を設ける構成とした場合でも、該流入穴に連通するための通路をカプセルホルダに形成する必要がなく、各リブ間の空気流路を通して前記流入穴からカプセル内に空気を流入させることができる。これにより、カプセルホルダの構成を簡略化でき、組立性、製造コストを低減することができる。
【００７２】
請求項２の発明によれば、カプセルホルダのカプセル収容室内にカプセルの外周側に位置して空気溜め室を設けているから、ポンプから供給される空気を一旦空気溜め室に流入させ、該空気溜め室によってポンプ操作時に生じる空気流の勢いのばらつきを吸収することができる。これにより、流入穴からカプセル内に空気を安定した状態で流入させることができるから、薬粉が凝集するのを防止してカプセル内の薬粉を微粒化でき、投薬効率を向上することができる。
【００７４】
請求項３の発明によれば、流入側穴あけ具をカプセルホルダに設け、流出側穴あけ具を薬粉噴霧部に設けているから、カプセルホルダに設けられた流入側穴あけ具によってカプセル収容室に収容されたカプセルの底側周壁に径方向の流入穴をあけることができ、また、薬粉噴霧部に設けられた流出側穴あけ具によってカプセル収容室に収容されたカプセルの頂部側に軸方向の流出穴をあけることができる。
【００７５】
請求項４の発明によれば、流入側穴あけ具をカプセルの軸線を挟んで左，右両側位置に設けることにより、左，右の流入側穴あけ具によってカプセルに左，右の流入穴をあけることができるから、この左，右の流入穴を通ってカプセル内に流入した空気を互いに衝突させて乱流とすることができ、該カプセル内の薬粉を拡散して投薬効率を向上することができる。
【００７６】
請求項５の発明によれば、流入側穴あけ具をカプセルの軸線を外して偏心した左，右両側位置に設けることにより、左，右の流入側穴あけ具によってカプセルに偏心した左，右の流入穴をあけることができるから、この左，右の流入穴を通ってカプセル内に流入した空気をカプセルの内壁に沿って旋回流とすることができ、該カプセル内の薬粉をこの旋回流によって拡散して投薬効率を向上することができる。
【図面の簡単な説明】
【図１】本発明の第１の実施の形態による鼻腔用投薬器を示す縦断面図である。
【図２】本発明の第１の実施の形態による鼻腔用投薬器を示す正面図である。
【図３】図１中のカプセルホルダ、流入側穴あけ具等を拡大して示す要部拡大縦断面図である。
【図４】図３中の矢示ＩＶ−ＩＶ方向からみた横断面図である。
【図５】ポンプを押圧することによりカプセル内の薬粉を噴霧した状態を示す縦断面図である。
【図６】流入穴からカプセル内に流入した空気の流れを示す図５中の要部拡大縦断面図である。
【図７】本発明の第２の実施の形態による鼻腔用投薬器を示す要部拡大縦断面図である。
【図８】図７中の矢示ＶＩＩＩ−ＶＩＩＩ方向からみた横断面図である。
【図９】カプセルに向けて空気を供給した状態を示す図８中の矢示ＩＸ−ＩＸ方向からみた要部拡大縦断面図である。
【図１０】本発明の第３の実施の形態による鼻腔用投薬器を示す要部拡大縦断面図である。
【図１１】図１０中の矢示ＸＩ−ＸＩ方向からみた横断面図である。
【図１２】本発明の第４の実施の形態による鼻腔用投薬器を示す要部拡大横断面図である。
【図１３】カプセル内の空気の流れを示すカプセルの横断面図である。
【符号の説明】
１，３１，４１，５１  カプセルホルダ
９，３４  カプセル収容室
１０，３６  リブ
１１，３７  空気流路
１４  ポンプ
１６，４５，５５  流入側穴あけ具
１７，３８  薬粉噴霧部
２０  噴霧ノズル
２１  流出側穴あけ具
３５  空気溜め室
Ｋ  カプセル
Ｈ１  ，Ｈ３    流入穴
Ｈ２    流出穴
Ｏ１  −Ｏ１    カプセルの軸線
【図１】
0003547605.tif 000002
【図２】
0003547605.tif 000003
【図３】
0003547605.tif 000004
【図４】
0003547605.tif 000005
【図５】
0003547605.tif 000006
【図６】
0003547605.tif 000007
【図７】
0003547605.tif 000008
【図８】
0003547605.tif 000009
【図９】
0003547605.tif 000010
【図１０】
0003547605.tif 000011
【図１１】
0003547605.tif 000012
【図１２】
0003547605.tif 000013
【図１３】
0003547605.tif 000014